(57)【要約】  本発明のルアーは、透明な材料を用いて中空状に形成されたルアー本体を有し、前記中空状のルアー本体の内面に、複数条の長状突部が所定間隔をあけて並んで形成されており、前記長状突部の一側面に、第１着色部が設けられ、且つ前記長状突部の他側面に、前記第１着色部と異なる色彩を呈する第２着色部が設けられている。  本発明のルアーは、ルアー本体の内面に設けられた第１着色部及び第２着色部を、ルアー本体を介して透視できる。例えば、ルアーを一方向から見た場合には、第１着色部の色彩のみを透視でき、ルアーを他方向から見た場合には、第２着色部の色彩のみを透視できる。このように本発明のルアーは、見る方向によって、色彩が変化しうるので、優れた集魚効果を有する。また、上記ルアーは、使用時に長状突部が異物と接触しないので、第１及び第２着色部に水垢が付着すること、又は着色部が剥がれ落ちることを防止できる。
2009040910.tif 000002
【特許請求の範囲】
【請求項１】
透明な材料を用いて中空状に形成されたルアー本体を有し、
前記中空状のルアー本体の内面に、複数条の長状突部が所定間隔をあけて並んで形成されており、前記長状突部の一側面に、第１着色部が設けられ、且つ前記長状突部の他側面に、前記第１着色部と異なる色彩を呈する第２着色部が設けられていることを特徴とするルアー。
【請求項２】
透明な材料を用いて中空状に形成されたルアー本体と、前記ルアー本体の中空部内に収容されたコア部材と、を有し、
前記コア部材の表面に、複数条の長状突部が所定間隔をあけて並んで形成されており、前記長状突部の一側面に、第３着色部が設けられ、且つ前記長状突部の他側面に、前記第３着色部と異なる色彩を呈する第４着色部が設けられていることを特徴とするルアー。
【請求項３】
前記コア部材は、中空状に形成されており、前記コア部材の中空部内にボールが移動自在に収容されている請求項２に記載のルアー。
【請求項４】
前記中空状のルアー本体の内面に、複数条の長状突部が所定間隔をあけて並んで形成されており、前記ルアー本体の長状突部の一側面に、第１着色部が設けられ、且つ前記ルアー本体の長状突部の他側面に、前記第１着色部と異なる色彩を呈する第２着色部が設けられている請求項２または３に記載のルアー。
【発明の詳細な説明】
【技術分野】
【０００１】
本発明は、釣りに使用されるルアーに関する。
【発明の背景】
【０００２】
ルアーは、小魚、エビなどに似せたルアー本体と、このルアー本体に取り付けられた釣り針と、を備えている。該ルアーは、ミチ糸に連結され、海中などに投入して使用される釣り具の１種である。かかるルアーを水中で遊泳させることによって、対象魚が、ルアーに対して興味を示し、本物の餌と見間違ってルアーを補食する。なお、本明細書に於いて「対象魚」とは、ルアーを用いた釣りの対象となるものを言い、イカやタコなども含まれる。
【０００３】
従来、ルアーに対する対象魚の補食を良くするため、様々な色彩を施したルアーが提供されている。
例えば、擬似本体の外面に、複数条の長状突部が所定間隔をあけて並んで形成され、前記長状突部の一側面に、第１着色部が設けられ、且つ前記長状突部の他側面に、前記第１着色部と異なる色彩を施した第２着色部が設けられている擬似餌（ルアー）が公知である（特許文献１）。
特許文献１に開示の擬似餌は、擬似本体の外面に形成された複数条の長状突部の一側面に第１着色部が設けられ、且つ他側面に第２着色部が設けられているので、この擬似餌を一方向から見た場合、第１着色部の色彩のみが見え、他方、この擬似餌を他方向から見た場合には、反対に第２着色部の色彩のみが見える。このように上記擬似餌は、見る方向によって色彩が変化するので、対象魚の補食性に優れている。
【特許文献１】特開２００６−５５０６２
【発明の開示】
【０００４】
しかしながら、上記従来の擬似餌は、擬似本体の外面に、複数条の長状突部が所定間隔をあけて並んで形成されているため、隣合う長状突部の間に付着した付着物を除去することが困難である。このように長状突部に付着物が付着した状態では、長状突部に施された色彩が付着物で隠蔽されるので、十分な集魚効果を発揮できない。また、上記従来の擬似餌は、隣合う長状突部の間に異物が噛み込み、該異物を簡単に外せない場合がある。
さらに、上記従来の擬似餌は、擬似本体の外面に、第１着色部及び第２着色部が設けられているので、擬似餌の使用時、擬似本体の外面が岩礁や堤防などに擦れ、その結果、第１着色部及び第２着色部が剥がれる場合もある。
【０００５】
本発明の目的は、見る方向によって色彩が変化するルアーであって、長状突部の間に付着物が付着する虞がなく、更に、着色部の剥がれを防止できるルアーを提供することである。
【０００６】
本発明の第１のルアーは、透明な材料を用いて中空状に形成されたルアー本体を有し、前記中空状のルアー本体の内面に、複数条の長状突部が所定間隔をあけて並んで形成されており、前記長状突部の一側面に、第１着色部が設けられ、且つ前記長状突部の他側面に、前記第１着色部と異なる色彩を呈する第２着色部が設けられていることを特徴とする。
【０００７】
上記第１のルアーは、透明且つ中空状のルアー本体の内面に第１及び第２着色部が設けられているので、透明なルアー本体の外面から、前記第１及び第２着色部を透視できる。
この第１及び第２着色部は、ルアー本体の内面に突設された複数条の長状突部の一側面及び他側面にそれぞれ設けられているので、該ルアーを一方向から見た場合、第１着色部の色彩のみを透視でき、他方、このルアーを他方向から見た場合、反対に第２着色部の色彩のみを透視できる。
従って、上記第１のルアーは、上記従来の擬似餌と同様に、見る方向によって色彩が変化するので、対象魚の補食性に優れている。
さらに、上記第１のルアーは、中空状のルアー本体の内面に長状突部が形成されているので、ルアーの使用時、複数条の長状突部の間に付着物が付着したり、長状突部が岩礁などに接触することはない。
従って、本発明の第１のルアーは、殆どメンテナンスをしなくても、見る方向によって色彩が変化し、優れた集魚効果を長期間に亘って発揮できる。
【０００８】
また、本発明の第２のルアーは、透明な材料を用いて中空状に形成されたルアー本体と、前記ルアー本体の中空部内に収容されたコア部材と、を有し、前記コア部材の表面に、複数条の長状突部が所定間隔をあけて並んで形成されており、前記長状突部の一側面に、第３着色部が設けられ、且つ前記長状突部の他側面に、前記第３着色部と異なる色彩を呈する第４着色部が設けられていることを特徴とする。
【０００９】
上記第２のルアーは、透明且つルアー本体の中空部内に、第３着色部及び第４着色部が設けられたコア部材が収容されているので、透明なルアー本体の外面から、コア部材に設けられた第３及び第４着色部を透視できる。
この第３及び第４着色部は、コア部材の表面に突設された複数条の長状突部の一側面及び他側面にそれぞれ設けられているので、該ルアーを一方向から見た場合、第３着色部の色彩のみを透視でき、他方、このルアーを他方向から見た場合、反対に第４着色部の色彩のみを透視できる。
従って、上記第２のルアーは、上記第１のルアーと同様に、見る方向によって色彩が変化するので、対象魚の補食性に優れている。
さらに、上記第２のルアーは、ルアー本体に収容されたコア部材に長状突部が形成されているので、ルアーの使用時、複数条の長状突部の間に付着物が付着したり、長状突部が岩礁などに接触することはない。
従って、上記第２のルアーも、上記第１のルアーと同様に、殆どメンテナンスをしなくても、見る方向によって色彩が変化し、優れた集魚効果を長期間に亘って発揮できる。
【図面の簡単な説明】
【００１０】
【図１】第１実施形態のルアーの正面図。
【図２】同ルアーを分解した状態の右斜視図。
【図３】同ルアーを分解した状態の左斜視図。
【図４】図１のＩ−Ｉ線で切断した拡大端面図（ルアー本体の一部分を縦方向で縦断した端面図）。
【図５】図１のＩＩ−ＩＩで切断した拡大端面図（ルアー本体の一方の分割体の一部分を横方向で横断した端面図）。
【図６】ルアー本体の内面に形成された長状突部の変形例を示し、該ルアー本体の一方の分割体の一部分を横方向で横断した拡大端面図。
【図７】第２実施形態のルアーを示し、該ルアーを分解した状態の右斜視図。
【図８】同ルアーを分解した状態の左斜視図。
【図９】図７のＩＩＩ−ＩＩＩ線で切断した拡大端面図（コア部材の一方のコア分割体の一部分を横方向で横断した拡大端面図）。
【図１０】コア部材の変形例を示す右斜視図。
【図１１】コア部材の他の変形例を示す右斜視図。
【図１２】コア部材の他の変形例を示す右斜視図。
【図１３】第２実施形態のルアーの変形例を示し、該ルアーを分解した状態の右斜視図。
【図１４】コア部材の表面に形成されたコア長状突部の変形例を示す右斜視図。
【図１５】ルアー本体の内面に形成された長状突部の変形例を示し、該ルアー本体の一方の分割体の一部分を横方向で横断した拡大端面図。
【図１６】ルアー本体の内面に形成された長状突部の他の変形例を示す、同拡大端面図。
【図１７】ルアー本体の内面に形成された長状突部の他の変形例を示す、同拡大端面図。
【図１８】ルアー本体の内面に形成された長状突部の他の変形例を示す、同拡大端面図。
【図１９】ルアー本体の内面に形成された長状突部の他の変形例を示し、ルアーを分解した状態の右斜視図。
【図２０】コア部材の表面に形成されたコア長状突部の他の変形例を示す右斜視図。
【発明の最良の実施の形態】
【００１１】
＜第１実施形態＞
以下、本発明を図面を参照しつつ説明する。
図１〜図４に於いて、１は、ルアーを示す。ルアー１は、中空状のルアー本体３と、ルアー本体３の前端部に設けられたミチ糸を連結するための連結部４と、ルアー本体３に取り付けられた釣り針５と、を有する。
中空状のルアー本体３の内面には、複数条の長状突部２が形成されている。
中空状のルアー本体３とは、内部に中空部３１（空洞部分）が形成されたルアーをいう。
通常、中空状のルアー本体３は、所定厚みの壁体３５によって形作られた一対の分割体３２，３３を、前記壁体３５の端面を接着剤などで接合することによって構成されている。
【００１２】
具体的には、ルアー本体３の外形は、小魚を真似た形状に形成されている。
ルアー本体３は、透明な材料を用いて形成されている。
ここで、透明な材料とは、ルアー本体３の外部からルアー本体３の内面の色彩を透視できる程度に光が透過する材料をいう。従って、ルアー本体３は、無色透明、または、有色透明（半透明）の何れでも良い。
ルアー本体３は、好ましくは光線透過率が６０％以上であり、より好ましくは同７０％以上であり、特に好ましくは同８０％以上である。光線透過率が６０％以上のルアー本体３であれば、その内面に施された色彩をルアー本体３の外部から良好に透視できる。
ただし、光線透過率は、ＪＩＳ  Ｋ  ７１０５−１９８１（プラスチックの光学的特性試験方法）に準じた方法によって測定した値であり、光線透過率（％）＝（Ｔ２／Ｔ１）×１００、で求められる。ただし、Ｔ２は、全光線透過量（試験片を通過した全光量）を表し、Ｔ１は、入射光量を表す。
ルアー本体３の材質は特に限定されず、ＡＢＳ樹脂、ウレタン系樹脂、アクリル系樹脂、ポリプロピレンなどのオレフィン系樹脂、及び２種以上の合成樹脂の混合物などを例示できる。
一対の分割体３２，３３は、ルアー本体３を横方向で分割した、対称な一対の半割成形品からなる。該半割成形品は、合成樹脂を公知の成形法（例えば射出成形など）で成形することによって得ることができる。
中空状に形成されたルアー本体３の肉厚（分割体３２，３３の壁体３５の最小厚み）は、ルアー本体３の耐久性を考慮して適宜設定されるが、通常、０．５ｍｍ〜２．０ｍｍ程度であり、好ましくは０．８ｍｍ〜１．８ｍｍ程度である。
【００１３】
なお、ルアー本体３の外面は、なだらかな曲面状に形成されていてもよいし、凹凸状に形成されていてもよい。
ルアー本体３の外面が凹凸状に形成される場合、その凹凸形状としては特に限定されず、例えば、（１）魚の鱗に似せた鱗片状、（２）ルアー本体３の外面において縦方向に延びる細長い筋状の突起が、ルアー本体３の横方向に複数条並設された形状、（３）ルアー本体３の外面において横方向に延びる細長い筋状の突起が、ルアー本体３の縦方向に複数条並設された形状、などが例示される。
ここで、本明細書において、「縦方向」とは、ルアー本体３の前端部（本実施形態では、連結部４が設けられた部分）と後端部（本実施形態では、釣り針５が設けられた部分）を結んだ仮想線と略直交する方向をいい、「横方向」とは、ルアー本体３の前端部と後端部を結んだ仮想線と略平行な方向をいう。
【００１４】
上記連結部４は、金属製などのリング部材をルアー本体３に固着することにより設けられている。また、釣り針５は、例えば、３つの針が一体化されたトレブルフックなどを用いることができる。釣り針５は、ルアー本体３に固着されたリング部材に着脱自在に取り付けられている。
【００１５】
長状突部２は、中空状に形成されたルアー本体３の内面に、複数条形成されている。
かかるルアー本体３の内面に形成された長状突部２は、内側へ突出する突起がルアー本体３の縦方向に長く連なった筋状を成している。該縦方向に延びる長状突部２は、ルアー本体３の内面において、ルアー本体３の横方向に所定間隔を開けて複数条並んで設けられている。
なお、本実施形態のルアー１は、前記複数条の長状突部２が、一対の分割体３２，３３の内面の略全体に、それぞれ設けられている。
【００１６】
各長状突部２は、図５に示すように、頂部２ａが円弧状に湾曲した断面視略逆Ｕ字状に形成され、その隣合う長状突部２の間に断面視略平坦状の谷部２ｂが形成されている。
各長状突部２の形成間隔は特に限定されないが、長状突部２の形成間隔を余りに狭いと長状突部２の両側面に着色することが困難となるので、各長状突部２の形成間隔は、概ね１ｍｍ以上が好ましい。一方、各長状突部２の形成間隔が余りに広すぎるとルアー本体３の外面に対し極めて鋭角な方向から見なければ色変化が現れないため、各長状突部２の形成間隔は、概ね５ｍｍ以下が好ましく、更に、概ね２ｍｍ以下がより好ましい。
また、長状突部２の突出高さ（深さ）も特に限定されないが、長状突部２の高さが余りに低いとルアー本体３の外面に対し極めて鋭角な方向から見なければ色変化が現れないため、長状突部２の突出高さは、概ね０．５ｍｍ以上が好ましく、更に概ね１．０ｍｍ以上がより好ましい。一方、長状突部２の高さが余りに高いと、長状突部２の両側面に着色することが困難となるので、長状突部２の突出高さは、概ね５ｍｍ以下が好ましく、更に、概ね３ｍｍ以下がより好ましい。
尚、図６は、長状突部２が高く突設されたルアー本体３の変形例を示す。
【００１７】
各長状突部２の表面には、頂部２ａを境にして一方側の側面２１に、所望の色彩を呈する第１着色部１１が設けられており、且つ、他方側の側面２２に、第１着色部１１と異なる色彩を呈する第２着色部１２が設けられている（図５及び図６参照）。
より詳細には、長状突部２の頂部２ａの中心から一方側の谷部２ｂ’の中心に至るまでの領域（一側面２１）全体に、第１着色部１１が設けられており、頂部２ａの中心から他方側の谷部２ｂ”の中心に至るまでの領域（他方面２２）全体に、第２着色部１２が設けられている。
この第１着色部１１及び第２着色部１２は、互いに異なって見えれば（視覚上、同一でない）特に限定されず、赤、青、黄、銀などの単一色、２種以上の色からなる色模様、透明などの各種の色彩から適宜の選択すればよい。具体的には、例えば、第１着色部１１を赤色とし且つ第２着色部１２を青色と黄色の斑模様に着色する。また、例えば、第１着色部１１を銀色とし且つ第２着色部１２をルアー本体３の地色（無色透明も含まれる）としてもよく、この場合、第２着色部１２の形成領域に特に着色処理を施さず、ルアー本体３の地色が第２着色部１２となる。
第１着色部１１及び第２着色部１２の着色処理は特に限定されず、例えば、（１）所望の色彩のインキを塗布する、（２）所望の色彩が施されたシート（フィルムを含む）やアルミ箔などの金属箔などを貼付する、などの方法が挙げられる。また、第１着色部１１または第２着色部１２として、長状突部２の地色（無色透明又は有色透明）をそのまま利用することもできる（この場合には特に着色処理を施さない）。
尚、必要に応じて、第１着色部１１及び第２着色部１２の上層に、ニスなどのコーティング層を塗工してもよい。
【００１８】
上記構成からなるルアー１は、連結部４にミチ糸を結び、水中に投入して使用される。本発明のルアー１は、ルアー本体３の外面から見た場合、ルアー本体３の透明な壁体３５を介して、その内面に施された第１及び第２着色部１１，１２を透視できる。
第１及び第２着色部１１，１２は、長状突部２に設けられているので、例えば、ルアー本体３の外面に対して直交する方向（正面方向）からルアー１を見た場合には、第１及び第２着色部１１，１２の色彩が交互に現れる縞模様に見える。また、図５に示すように、ルアー本体３の外面に対して鋭角となる一方向Ｘからルアー１を見た場合（例えば前方斜め側から後方側へとルアー１を見た場合）、第２着色部１２は長状突部２の陰に隠れるため、第１着色部１１の色彩のみが現れる。他方、ルアー本体３の外面に対して鋭角となる他方向Ｙからルアー１を見た場合（例えば後方斜め側から前方側へとルアー１を見た場合）、反対に第２着色部１２の色彩のみが現れる。
【００１９】
このように本発明のルアー１は、ルアー本体３の内面に長状突部２が形成され且つ該長状突部２に第１及び第２着色部１１，１２が設けられているので、ミチ糸にて引っ張りながら遊泳させると、ルアー１の色彩が変化して見える。
本発明のルアー１は、長状突部２が中空状のルアー本体３の内面に設けられているので、ルアー１の使用時、長状突部２が異物と接触することがない。
従って、本発明のルアー１は、複数条の長状突部２の間（例えば、長状突部２間の谷部２ｂ）に、水垢などの付着物が付着せず、又、長状突部２が岩礁などに当たって第１着色部１１及び／又は第２着色部１２が剥がれ落ちることもない。
よって、本発明のルアー１は、付着物の除去などのメンテナンスを行わなくても、上記見る方向によって色彩が変化する効果を長期間に亘って発揮できる。
【００２０】
なお、上記第１実施形態において、複数条の長状突部２は、ルアー本体３の内面の略全体に形成されているが、これに限定されず、複数条の長状突部２が、ルアー本体３の内面の一部分に形成されていてもよい。例えば、複数条の長状突部２が、ルアー本体３の内面であって横方向の中央領域にのみ形成されていてもよいし、或いは、ルアー本体３を構成する一方の分割体３２の内面にのみ形成されていてもよい。
【００２１】
＜第２実施形態＞
第２実施形態のルアーは、中空状のルアー本体の中空部内に、コア部材が収容されている。
以下、第２実施形態のルアーを説明するにあたって、上記第１実施形態と同様の構成については、その説明を省略し、用語及び符号をそのまま援用する場合がある。
【００２２】
図７及び図８において、第２実施形態のルアー１は、透明な材料で形成された中空状のルアー本体３と、該ルアー本体３の中空部内に収容されたコア部材６と、を有する。
なお、該ルアー本体３は、上記第１実施形態と同様に、一対の分割体３２，３３を接合することによって中空状に形成されている。また、ルアー本体３には、上記第１実施形態と同様に、連結部４及び釣り針５が設けられている。
中空状のルアー本体３の内面は、（長状突部２は形成されておらず）、なだらかな曲面状に形成されている。
【００２３】
コア部材６は、ルアー本体３の中空部３１内に収容できる大きさに形成され、例えば、横方向長さが縦方向長さに比して随分と長い、細長形状に形成されている。
なお、上記コア部材６は、中空状に形成されており、コア部材６の中空部６１内には、複数個のボール６６が収容されている。コア部材６の中空部６１は、前記ボールが横方向に移動できるように、横方向に細長い形状に形成されている。該コア部材６の中空部６１内をボール６６が移動することにより、ルアー１の重心を前後に変化させることができる。また、ボール６６がコア部材６の内面に当たることによって、ラトル音を発する。
中空状のコア部材６は、通常、所定厚みの壁体６５によって形作られた一対のコア分割体６２，６３を、前記壁体６５の端面を接着剤などで接合することによって構成されている。
【００２４】
上記コア部材６は、凹凸嵌合または接着剤による接着などによって、ルアー本体３の中空部３１内の所定位置に固着されている。主要されたコア部材６は、コア部材６の表面がルアー本体３の内面に接していてもよいし、コア部材６とルアー本体３の内面の間に、間隙を有していてもよい。
コア部材６の両側面（一対のコア分割体６２，６３の表面）には、上記第１実施形態で示した長状突部と同様に、長状突部７が突設されている（以下、ルアー本体３に形成された長状突部２と区別するため、コア部材６に形成された長状突部７を「コア長状突部」という）。
コア長状突部７は、コア部材６の側面に形成され、外側へ突出する突起がルアー本体３の縦方向に長く連なった筋状を成している。該縦方向に延びるコア長状突部７は、コア部材６の側面に複数条形成され、各コア長状突部７は、ルアー本体３の横方向に所定間隔を開けて並設されている。
【００２５】
コア長状突部７は、図９に示すように、頂部７ａが円弧状に湾曲した断面視略逆Ｕ字状に形成され、その隣合うコア長状突部７の間に断面視略平坦状の谷部７ｂが形成されている。
【００２６】
各コア長状突部７の形成間隔及び突出高さは、上記第１実施形態の長状突部２と同様である。
各コア長状突部７の表面には、図９に示すように、頂部７ａを境にして一方側の側面７１に、所望の色彩を呈する第３着色部１３が設けられており、且つ、他方側の側面２２に、第３着色部１３と異なる色彩を呈する第４着色部１４が設けられている。
第３及び第４着色部１３，１４の色彩及び着色方法などは、上記第１実施形態の第１及び第２着色部１１，１２と同様に、適宜設定できる。
【００２７】
第２実施形態のルアーは、ルアー本体３の外面から見た場合、透明なルアー本体３を介して、コア部材６に設けられた第３及び第４着色部１３，１４を透視できる。
該第３及び第４着色部１３，１４は、コア長状突部７に設けられているので、上記実施形態と同様に、正面方向からルアー１を見た場合には、第３及び第４着色部１３，１４の色彩が交互に現れる縞模様に見える。また、一方向からルアー１を見た場合、第４着色部１４はコア長状突部７の陰に隠れるため、第３着色部１３の色彩のみが現れる。他方、他方向からルアー１を見た場合、反対に第４着色部１４の色彩のみが現れる。
このように第２実施形態のルアー１も、上記第１実施形態のルアー１と同様に、見る方向によって色彩が変化して見える。
また、上記コア部材６は、ルアー本体３の中空部３１に収容されているので、ルアー１の使用時、コア長状突部７が異物と接触することはなく、第２実施形態のルアー１は、メンテナンスを行わなくても、上記見る方向によって色彩が変化する効果を長期間に亘って発揮できる。
【００２８】
次に、第２実施形態の変形例を示す。
上記第２実施形態に示すコア部材６は、中空部６１内に移動自在なボール６６が複数個収容されているが、該ボール６６は、１個だけ収容してもよい。
また、ボールに代えて、コア部材６の中空部６１内に、任意の形状の錘を固定的に収容してもよい。
さらに、上記第２実施形態に示すコア部材６は、その両側面にコア長状突部７が設けられているが、図１０に示すように、コア部材６の上面（及び／又は下面）にコア長状突部７が設けられていてもよい。この場合、コア部材６の上面（及び／又は下面）に設けられたコア長状突部７の両側面に、上記と同様に、第３及び第４着色部１３，１４がそれぞれ設けられていることが好ましい。
【００２９】
さらに、コア部材６は、中空状に限られず、中実状でもよい。この場合、コア部材６は、図１１に示すように、例えば、板状に形成され、該板状のコア部材６の両側面に、コア長状突部７が設けられる。
また、コア部材６を板状体で構成する場合、図１２に示すように、波板状に形成してもよい。この波板状に形成されたコア部材６は、両側面に、波の山部と谷部が交互に形成され、波の山部がコア長状突部７に相当する。なお、波板状のコア部材６は、樹脂成形品を用いてもよいし、シートを型押しすることによって波板状に形成された波板シートを用いてもよい。
【００３０】
また、上記第２施形態において、複数条のコア長状突部７は、コア部材６の両側面の略全体に形成されているが、これに限定されず、複数条のコア長状突部７が、コア部材６の側面の一部分に形成されていてもよい。例えば、複数条のコア長状突部７が、コア部材６の両側面の中央領域にのみ形成されていてもよいし、或いは、コア部材６の一方の分割体６２にのみ形成されていてもよい。
【００３１】
さらに、上記第２実施形態において、コア部材６の内部に、ボール６６が収容されているが、例えば、図１３に示すように、ボール６６を、ルアー本体３の中空部３１に移動自在に収容してもよい。この場合、ルアー本体３の中空部３１に、ボール６６の移動空間を確保するため、中空部３１に仕切壁３６が形成される。また、ルアー本体３の中空部３１に収容するコア部材６は、前記ボール６６の移動空間を避けるように、その一部が切除される。
【００３２】
また、上記第２実施形態において、ルアー本体３の内面には、長状突部２が設けられていないが、ルアー本体３の内面に、上記第１実施形態と同様にして第１及び第２着色部１１，１２を有する長状突部２を形成し、このルアー本体３の中空部３１内に、上記コア部材６を収容してもよい。
【００３３】
＜第３実施形態＞
第３実施形態は、上記第１及び第２実施形態のルアーに共通する変形例である。
上記第１実施形態のルアー１は、各長状突部２が縦方向に延びて形成されているが、例えば、各長状突部２が、横方向に延びて形成されていてもよい。この横方向に延びた各長状突部２は、ルアー本体３の縦方向に複数条並設される。また、各長状突部２は、斜め方向に伸びて形成されていてもよい。
なお、上記第２実施形態の各コア長状突部７についても同様に、縦方向に延びて形成されている場合に限られず、各コア長状突部７が、横方向または斜め方向に延びて形成されていてもよい。
さらに、上記第１実施形態の各長状突部２及び第２実施形態の各コア長状突部７は、何れも直線状に伸びて形成されているが、例えば、略円弧状、略く字状、略ジグザク状などの非直線状に伸びて形成されていてもよい。
また、例えば、図１４に示すように、コア部材６の側面に、縦方向に延びる複数条のコア長状突部７’と横方向に延びる複数条のコア長状突部７”とをそれぞれ形成してもよい。同様に、ルアー本体３の内面に、縦方向に延びる複数条の長状突部と横方向に延びる複数条の長状突部をそれぞれ形成してもよい（図示せず）。
【００３４】
また、上記第１実施形態の各長状突部２は、その頂部２ａが断面視略円弧状に形成され、且つ隣合う長状突部２の間に断面視略平坦状の谷部２ｂが形成されているが、長状突部２はこの形状に限定されず、様々な形状に変更できる。
例えば、図１５に示すように、各長状突部２が、頂部２ａから両側面２１，２２にかけて円弧状に形成され且つ該長状突部２が密に並設された形態、図１６に示すように、各長状突部２の頂部２ａが断面視略尖状に形成され、隣合う長状突部２の間に断面視略円弧状の谷部２ｂが形成されている形態、図１７に示すように、各長状突部２の頂部２ａが断面視略平坦状に形成され、隣合う長状突部２の間に断面視略円弧状の谷部２ｂが形成されている形態、図１８に示すように、長状突部２が、断面視略三角形状に形成されている形態、などでもよい。何れの形状の長状突部２も、長状突部２の一側面２１に第１着色部１１が設けられ、且つ他側面２２に第２着色部１２が設けられている。
なお、上記第２実施形態の各コア長状突部７の形状についても、上記長状突部２の各変形例（図１５〜図１８など）と同様に、各種の形態に変更することもできる。
【００３５】
さらに、上記第１実施形態のルアー本体３の内面に、図１９に示すように、全ての長状突部２を分断する、長状溝部８が形成されていてもよい。なお、該長状溝部８は、複数条の長状突部２のうち一部の長状突部２を分断するように形成されていてもよい。該長状溝部８は、好ましくは長状突部２の延びる方向と直交する方向に形成される（図１９では、長状突部２が縦方向に延びて形成されているので、長状溝部８は、横方向に延びている）。
この長状溝部８は、１本でもよいし、或いは、２本以上並設されていてもよい。
なお、上記第２実施形態のコア部材６の表面にも、上記変形例と同様に、コア長状突部７（全てのコア長状突部７又は複数条のコア長状突部７のうち一部のコア長状突部）を分断する、長状溝部が形成されていてもよい（図示せず）。
【００３６】
また、上記第２実施形態の変形例として、図２０に示すように、該コア長状突部７を互い違い（千鳥状）に配置してもよい。
具体的には、コア長状突部７は、縦方向に伸びて形成されているが、該縦方向に於いて、コア長状突部７と非突部９が、所定間隔をあけて交互に形成されている。この非突部９は、コア部材６の表面部分で構成されており、前記コア長状突部７よりも低い部分である。
このコア長状突部７及び非突部９が縦方向に交互に連なった列が、横方向に所定間隔をあけて複数列形成されている。そして、奇数列に於けるコア長状突部７が、隣合う偶数列に於ける非突部９の間に配置されている（つまり、各コア長状突部７が千鳥状に配置されている）。
この各コア長状突部７の一側面及び他側面には、第３及び第４着色部１３，１４が設けられていることは、上記第２実施形態と同様である。
かかる変形例のルアー１は、上記第１実施形態と同様に、見る方向を変化させることによって、コア長状突部７に設けられた第３着色部１３または第４着色部１４の色彩を透視できるが、各列のコア長状突部７が個々に独立し且つ千鳥状に形成されているので、魚の麟のように見える。
よって、上記変形例のルアー１は、本物の小魚に、より近い外観を呈する。
なお、上記第１実施形態のルアー本体３の内面にも、上記変形例と同様にして、長状突部２と非突部を縦方向に交互に形成し、該交互に連なった列が横方向に所定間隔をあけて複数列形成されていてもよい（つまり、第１実施形態のルアー本体３の内面に、長状突部２が千鳥状に配置されていてもよい）。
【図１】
2009040910.tif 000003
【図２】
2009040910.tif 000004
【図３】
2009040910.tif 000005
【図４】
2009040910.tif 000006
【図５】
2009040910.tif 000007
【図６】
2009040910.tif 000008
【図７】
2009040910.tif 000009
【図８】
2009040910.tif 000010
【図９】
2009040910.tif 000011
【図１０】
2009040910.tif 000012
【図１１】
2009040910.tif 000013
【図１２】
2009040910.tif 000014
【図１３】
2009040910.tif 000015
【図１４】
2009040910.tif 000016
【図１５】
2009040910.tif 000017
【図１６】
2009040910.tif 000018
【図１７】
2009040910.tif 000019
【図１８】
2009040910.tif 000020
【図１９】
2009040910.tif 000021
【図２０】
2009040910.tif 000022
【国際調査報告】
2009040910.tif 000023
2009040910.tif 000024
2009040910.tif 000025
2009040910.tif 000026